(57)【要約】【課題】長期に渉って耐久性、耐火性、遮水性および遮へい性を良好に維持することができる土のう積構造物を提供する。【解決手段】土のう２１を積み上げて構築する土のう積構造物１において、土のう２１を積み上げた土のう部２と、土のう部２の表面を被覆するモルタル部３と、を有する。土のう部２は、地盤１１の上に構築されていて、モルタル部３は、土のう部２を被覆する土のう被覆部３１と、土のう部２が構築された地盤１１と連続する地盤１１の表面を被覆する地盤被覆部３２と、を有し、土のう被覆部３１と地盤被覆部３２とが一体に形成されている。【選択図】図１
2019015085.tif 000002
【特許請求の範囲】
【請求項１】
土のうを積み上げて構築する土のう積構造物において、
前記土のうを積み上げた土のう部と、
前記土のう部の表面を被覆するモルタル部と、を有することを特徴とする土のう積構造物。
【請求項２】
前記土のう部は、地盤の上に構築されていて、
前記モルタル部は、前記土のう部の表面を被覆する土のう被覆部と、
前記土のう部の周囲の地盤の表面を被覆する地盤被覆部と、を有し、
前記土のう被覆部と前記地盤被覆部とは、連続して一体に形成されていることを特徴とする請求項１に記載の土のう積構造物。
【請求項３】
前記モルタル部は、モルタルを吹き付けることで形成されていることを特徴とする請求項１または２に記載の土のう積構造物。
【請求項４】
前記モルタル部には、合成樹脂製の短繊維が混入されていることを特徴とする請求項１から３のいずれか一項に記載の土のう積構造物。
【請求項５】
前記モルタル部には、複数種類の前記短繊維が混入されていることを特徴とする請求項４に記載の土のう積構造物。
【請求項６】
前記短繊維は、ポリプロピレン製であることを特徴とする請求項４または５に記載の土のう積構造物。
【発明の詳細な説明】
【技術分野】
【０００１】
本発明は、土のうを積み上げて構築する土のう積構造物に関する。
【背景技術】
【０００２】
従来から土のうを積み上げて構築した土留めや壁体などが知られている（例えば、特許文献１および２参照）。このような土のうを積み上げて構築した構造物を土のう積構造物とすると、土のう積構造物は、短期間で構築することができるため、災害復旧工事などにおいても使用されている。
【先行技術文献】
【特許文献】
【０００３】
【特許文献１】特開２００８−５７２８５号公報
【特許文献２】特開２０１０−７７６３９号公報
【発明の概要】
【発明が解決しようとする課題】
【０００４】
土のう積構造物は、外力によって土のうが変形したり、経年劣化や飛来物などによって土のうの袋体が損傷したりすると、耐久性および遮水性が低下する虞がある。また、経年劣化した土のうの袋体は、自然発火する虞がある。このため、長期に渉って耐久性や遮水性、耐火性を良好に維持することができる土のう積構造物が望まれている。
また、土のう積構造物の遮へい性を利用して放射線を遮へいすることが考えられる。このため、遮へい性についても長期に渉って良好に維持することができる土のう積構造物が望まれている。
【０００５】
そこで、本発明は、長期に渉って耐久性、耐火性、遮水性および遮へい性を良好に維持することができる土のう積構造物を提供することを目的とする。
【課題を解決するための手段】
【０００６】
上記目的を達成するため、本発明に係る土のう積構造物は、土のうを積み上げて構築する土のう積構造物において、前記土のうを積み上げた土のう部と、前記土のう部の表面を被覆するモルタル部と、を有することを特徴とする。
【０００７】
本発明では、土のう部の表面がモルタル部に被覆されていることにより、外力による土のうの変形を防止できるとともに、経年劣化や飛来物による土のうの損傷を防止することができる。これにより、長期に渉って土のう積構造物の耐久性を良好に維持することができる。
また、土のう部の表面がモルタル部に被覆されていることにより、長期に渉って土のう積構造物の耐火性を良好に維持することができる。経年劣化した土のう部が自然発火する虞もない。
また、モルタル部が土のう間の隙間を確実に塞ぐことができるため、遮水性および遮へい性を向上させることができる。これにより、長期に渉って土のう積構造物の遮水性および遮へい性を良好に維持することができる。
【０００８】
また、本発明に係る土のう積構造物では、前記土のう部は、地盤の上に構築されていて、前記モルタル部は、前記土のう部の表面を被覆する土のう被覆部と、前記土のう部の周囲の地盤の表面を被覆する地盤被覆部と、を有し、前記土のう被覆部と前記地盤被覆部とは、連続して一体に形成されていてもよい。
このような構成とすることにより、土のう部と地盤との隙間を確実に塞ぐことができるため、遮水性および遮へい性を向上させることができる。
【０００９】
また、本発明に係る土のう積構造物では、前記モルタル部は、モルタルを吹き付けることで形成されていてもよい。
このような構成とすることにより、モルタル部を容易に形成することができる。
【００１０】
また、本発明に係る土のう積構造物では、前記モルタル部には、合成樹脂製の短繊維が混入されていてもよい。
また、本発明に係る土のう積構造物では、前記短繊維は、ポリプロピレン製であってもよい。
このような構成とすることにより、モルタル部の耐久性を向上させることができる。また、短繊維によってモルタル部にひび割れが発生することを抑制したり、短繊維がモルタル部に設けられるラス金網の代わりとなってラス金網の施工が不要となり工期を短縮したりすることができる。
【００１１】
また、本発明に係る土のう積構造物では、前記モルタル部には、複数種類の前記短繊維が混入されていてもよい。
このような構成とすることにより、複数種類の短繊維それぞれの機能が発揮され、モルタル部をより良好な状態に形成することができる。
【発明の効果】
【００１２】
本発明によれば、長期に渉って耐久性、耐火性および遮水性を維持することができるとともに、遮へい性を向上させることができる。
【図面の簡単な説明】
【００１３】
【図１】本発明の実施形態による土のう積構造物の一例を示す図で、モルタル部の一部を省略した図である。
【発明を実施するための形態】
【００１４】
以下、本発明の実施形態による土のう積構造物について、図１に基づいて説明する。
図１に示すように、本実施形態による土のう積構造物１は、地盤１１の上に構築された壁体で、放射線の遮へいおよび遮水を目的として設けられている。
土のう積構造物１が地盤１１に沿って延びる方向を長さ方向とし、長さ方向に直交する方向を厚さ方向とし、上下を結ぶ方向を上下方向とする。
【００１５】
土のう積構造物１は、地盤１１に積み上げられた複数の土のう２１，２１…によって形成された土のう部２と、土のう部２の表面を被覆するモルタル部３と、を有している。
土のう部２は、土のう積構造物１の長さ方向、厚さ方向および上下方向の全体にわたるように形成されている。土のう部２の複数の土のう２１，２１…は、それぞれフレコンバッグなどの袋体２１１に土砂２１２が詰められて形成されている。
【００１６】
土のう部２は、その長さ方向全体にわたって、上下方向に３段となるように土のう２１が積み上げられている。土のう部２は、最下段が上側の段よりも厚さ方向に多くの土のう２１が配列され、下側の段から上側の段に向かって漸次厚さ方向に配列される土のう２１の数が少なくなっている。長さ方向、厚さ方向および上下方向に隣り合う土のう２１，２１の境界部分は段部となっており、土のう部２の表面には凹凸が形成されている。
【００１７】
モルタル部３は、土のう部２の表面を被覆する土のう被覆部３１と、土のう部２の周囲の地盤１１の表面を被覆する地盤被覆部３２と、を有している。
土のう被覆部３１は、土のう部２の上面および側面（地盤と対向する面以外全体）を隙間なく被覆している。なお、図１では、モルタル部３の一部を省略している。
地盤被覆部３２は、土のう部２の全周を囲むように設けられている。
土のう被覆部３１と地盤被覆部３２とは隙間なく連続して一体に形成されている。
【００１８】
モルタル部３は、モルタルに２種類の合成樹脂製の短繊維が混合された吹き付け材を吹き付けることで形成されている。２種類の合成樹脂製の短繊維のうちの一方を第１短繊維とし、他方を第２短繊維とする。
第１短繊維は、ポリプロピレン製の短繊維で、土のう部や地盤へのモルタルの付着を高めるためにモルタルに混入されている。本実施形態では、第１短繊維は、「のりファイバー」と称される短繊維を用いている。第１短繊維は、モルタルに混入することにより、モルタル部のラス金網を不要とすることができる。
第２短繊維は、ポリプロピレン製の短繊維で、モルタル部のクラックを防止するためにモルタルに混入されている。本実施形態では、テザック社製商品名「タフライト」などが採用されている。モルタルに第１短繊維および第２短繊維を混入したものをモルタル吹き付け材とする。
【００１９】
本実施形態では、モルタル吹き付け材のモルタルの配合を、セメントと砂の比を１：４、水セメント比５０％としている。また、モルタル吹き付け材には、モルタル１ｍ３当りに、第１短繊維が６．９０ｋｇ混入され、第２短繊維が０．９１ｋｇ混入されている。
【００２０】
次に、本実施形態による土のう積構造物１の構築方法について説明する。
まず、土のう部２を構築する。
袋体２１１に土砂２１２を詰めて複数の土のう２１を作る。
複数の土のう２１を所定の長さ、所定の厚さおよび所定の高さに積み上げて、土のう部２を構築する。
続いて、モルタル部３を形成する。
土のう部２の表面、および土のう部２の周囲の地盤１１の表面に一体にモルタル吹き付け材を吹き付け、モルタル部３の土のう被覆部３１および地盤被覆部３２を一体に形成する。土のう部２の表面、および土のう部２の周囲の地盤１１の表面に吹き付けられたモルタル吹き付け材が硬化することでモルタル部３が形成され、土のう積構造物１が構築される。
【００２１】
次に、本実施形態による土のう積構造物１の作用・効果について図面を用いて説明する。
本実施形態による土のう積構造物１では、土のう部２の表面がモルタル部３に被覆されていることにより、外力による土のうの変形を防止できるとともに、経年劣化や飛来物による土のう２１の損傷を防止することができる。これにより、長期に渉って土のう積構造物１の耐久性を良好に維持することができる。
また、土のう部２の表面がモルタル部３に被覆されていることにより、長期に渉って土のう積構造物１の耐火性を良好に維持することができる。経年劣化した土のう２１が自然発火する虞もない。
また、モルタル部３が土のう２１，２１間の隙間を確実に塞ぐことができるため、遮水性および遮へい性を向上させることができる。これにより、長期に渉って土のう積構造物１の遮水性および遮へい性を良好に維持することができる。
【００２２】
また、モルタル部は、土のう部２を被覆する土のう被覆部３１と、土のう部２の周囲の地盤１１の表面を被覆する地盤被覆部３２と、を有し、土のう被覆部３１と地盤被覆部３２とが一体に形成されていることにより、土のう部２と地盤１１との隙間を確実に塞ぐことができるため、遮水性および遮へい性を向上させることができる。
【００２３】
また、モルタル部３は、土のう部２の表面、および土のう部２の周囲の地盤１１の表面にモルタル吹き付け材を吹き付けることで形成されているため、モルタル部３を容易に形成することができる。
【００２４】
また、モルタル吹き付け材には、第１短繊維が混入されていることにより、第１短繊維がラス金網の代わりとなってラス金網の施工が不要となるため、工期を短縮することができる。
また、モルタル吹き付け材には、第１短繊維が混入されていることにより、土のう被覆部３１と地盤被覆部３２との境界部分に継手処理を行う必要がなく、土のう被覆部３１と地盤被覆部３２とを連続した状態に容易に形成することができる。
また、モルタル吹き付け材には、第１短繊維および第２短繊維が混入されていることにより、吹き付け時にモルタル吹き付け材が垂れることが防止され、施工性が良い。
また、モルタル部３には、第２短繊維が混入されていることにより、第２短繊維によってモルタル部３にひび割れが発生することを抑制できる。
モルタル部３（モルタル吹き付け材）には、第１短繊維および第２短繊維の２種類の短繊維が混入されていることにより、第１短繊維および第２短繊維の機能がそれぞれ発揮され、モルタル部３をより良好な状態に形成することができる。
【００２５】
以上、本発明による土のう積構造物の実施形態について説明したが、本発明は上記の実施形態に限定されるものではなく、その趣旨を逸脱しない範囲で適宜変更可能である。
例えば、上記の実施形態では、土のう積構造物１は、放射線の遮へいおよび遮水を目的とした壁部を構成しているが、他の目的のために設けられたり、他の形態に構築されていたりしてもよい。例えば、土のう積構造物が、のり面などに沿って構築された土留めを構成していてもよい。また、土のう積構造物において土のう部２が積み上げられる段数や範囲は適宜設定されてよい。
【００２６】
また、上記の実施形態では、モルタル部３は、土のう部２を被覆する土のう被覆部３１と、土のう部２の周囲の地盤１１の表面を被覆する地盤被覆部３２と、を有する構成であるが、土のう部２を被覆する土のう被覆部３１のみを有する構成であってもよい。
また、上記の実施形態では、地盤被覆部３２は、土のう部２の全周囲の地盤１１の表面を被覆するように構成されているが、土のう部２の周囲の地盤１１のうちの一部や複数の部分の表面を被覆するように構成されていてもよい。
【００２７】
また、上記の実施形態では、モルタル部３は、土のう部２の表面にモルタルを吹き付けることで形成されているが、吹き付け以外によって形成されてもよい。
また、上記の実施形態では、モルタル部３には、第１短繊維および第２短繊維が混入されているが、第１短繊維および第２短繊維の両方またはいずれか一方が混入されていなくてもよい。また、モルタル部３に混入される繊維の形態や、モルタル吹き付け材の配合は、適宜設定されてよい。
また、モルタル部には、ラス金網が設けられていてもよい。また、土のう積構造物には、モルタル部の土のう部への付着を向上させるための部材が設けられていてもよい。
【符号の説明】
【００２８】
１  土のう積構造物
２  土のう部
３  モルタル部
１１  地盤
２１  土のう
３１  土のう被覆部
３２  地盤被覆部
【図１】
2019015085.tif 000003